(57)【要約】【課題】外部雰囲気温度の違いに起因して加熱のばらつきが生じない暖房装置を提供する。【解決手段】加熱手段と、外部雰囲気温度を検知する温度検知手段と、暖房の強度を設定する強弱設定手段と、強弱設定手段により設定された暖房の強度に基づいて加熱手段での発熱量を制御する制御手段と、を備える。制御手段は、設定された任意の強度における加熱手段での発熱量を外部雰囲気温度に応じて異ならせるように制御モードを変更する。【選択図】        図１
2011027367.tif 000002
【特許請求の範囲】
【請求項１】
加熱手段と、外部雰囲気温度を検知する温度検知手段と、暖房の強度を設定する強弱設定手段と、強弱設定手段により設定された暖房の強度に基づいて加熱手段での発熱量を制御する制御手段と、を備え、制御手段は、設定された任意の強度における加熱手段での発熱量を外部雰囲気温度に応じて異ならせるように制御モードを変更することを特徴とする暖房装置。
【請求項２】
所定の温度が外部雰囲気温度の閾値として設定され、温度検知手段に検知される外部雰囲気温度が前記所定の閾値を超える／以上の場合には制御モードを低温モードとし、温度検知手段に検知される外部雰囲気温度が前記所定の閾値以下／未満の場合には制御モードを高温モードとすることを特徴とする請求項１記載の暖房装置。
【発明の詳細な説明】
【技術分野】
【０００１】
本発明は、外部雰囲気温度によって暖房の制御を補正する暖房装置に関するものである。
【背景技術】
【０００２】
従来から、加熱手段と、強弱設定手段と、制御手段と、を備えた暖房装置が知られている（例えば特許文献１参照）。制御手段は、強弱設定手段により設定された暖房の強度に基づいて、加熱手段での発熱量を制御する。強弱設定手段では、暖房の強度を設定するようになっている。
【先行技術文献】
【特許文献】
【０００３】
【特許文献１】特開平７−１０３４９８号公報
【発明の概要】
【発明が解決しようとする課題】
【０００４】
ところで、冬場には、採暖のために暖房装置を稼動させて装置の外部雰囲気温度を上昇させ、夏場（特に梅雨の時期）には、暖房装置を稼動させて被乾燥物を乾燥させたりする。
【０００５】
上記従来の暖房装置では、制御モードが一通りであるため、強弱設定手段で設定された暖房の強度が同じ場合には、夏場か冬場かに関係なく加熱手段での発熱量が同じである。このため、外部雰囲気温度が高い夏場には外部雰囲気温度が低い冬場の場合よりも加熱過剰となったり、冬場には夏場の場合よりも加熱不足となったりしかねず、外部雰囲気温度の違いに起因して加熱のばらつきが生じてしまうものであった。
【０００６】
本発明は上記従来の問題点に鑑みて発明したものであって、その目的とするところは、外部雰囲気温度の違いに起因して加熱のばらつきが生じることのない暖房装置を提供することを課題とするものである。
【課題を解決するための手段】
【０００７】
上記課題を解決するために、本発明は、以下のような構成とする。
【０００８】
加熱手段と、外部雰囲気温度を検知する温度検知手段と、暖房の強度を設定する強弱設定手段と、強弱設定手段により設定された暖房の強度に基づいて加熱手段での発熱量を制御する制御手段と、を備える。制御手段は、設定された任意の強度における加熱手段での発熱量を外部雰囲気温度に応じて異ならせるように制御モードを変更する。
【０００９】
また、所定の温度が外部雰囲気温度の閾値として設定され、温度検知手段に検知される外部雰囲気温度が前記所定の閾値を超える／以上の場合には制御モードを低温モードとし、温度検知手段に検知される外部雰囲気温度が前記所定の閾値以下／未満の場合には制御モードを高温モードとすることも好ましい。
【発明の効果】
【００１０】
本発明は、外部雰囲気温度に応じて制御モードを変更することで、冬場か夏場のいずれであるかや外部雰囲気温度を意識することなく、一年を通して常に同じ感覚で暖房の強度を設定するだけで、外部雰囲気温度の違いに起因して加熱のばらつきが生じるのをなくすことができる。
【図面の簡単な説明】
【００１１】
【図１】本発明の一実施形態における制御の補正の仕方を説明する外部雰囲気温度−目標温度の図である。
【図２】同上の暖房装置の概略構成図である。
【図３】同上の暖房装置の概観図である。
【図４】同上の暖房装置の操作部の正面図である。
【図５】他の実施形態における制御の変更の仕方を説明する外部雰囲気温度−目標温度の図である。
【発明を実施するための形態】
【００１２】
以下、本発明を添付図面に示す実施形態に基いて説明する。
【００１３】
暖房装置Ａは、図２に示すように、加熱手段１と、温度検知手段２と、強弱設定手段３と、制御手段４と、を備えたもので、本実施形態では図３に示すようなパネル状をした暖房装置Ａである。図３中の符号８は物干しであり、符号９は被加熱物である。
【００１４】
加熱手段１は、熱媒として温水を用いるものや、電気ヒータや、燃焼器等、様々なものが挙げられる。本実施形態では、加熱手段１はＰＴＣヒータであり、パネル状をした暖房装置ＡにＰＴＣヒータが埋設されている。
【００１５】
強弱設定手段３は、暖房の強度を設定するためのものである。暖房の強度は、複数段階のレベルで設定され、本実施形態では暖房の強度の最も弱いレベル１から最も強いレベル５までの５段階がある。なお、暖房の強度は、段階的でなく連続的に設定されるものでもよい。この強弱設定手段３は、暖房装置Ａの加熱手段１を備えた本体に設けてあってもよいが、本実施形態では図４に示すように、通信手段（図示せず）を介して本体と通信自在な操作部５に設けてあってもよく、通信手段は無線または有線のいずれであってもよい。また操作部５には、設定されている暖房の強度のレベルを表示する強弱表示部６と、暖房の入／切を行う入／切スイッチ７と、が設けてある。
【００１６】
温度検知手段２は、暖房装置Ａを使用する場所の外部雰囲気温度を検知するもので、通常は暖房装置Ａを使用する室内の気温を検知する。この温度検知手段２は、サーミスタや熱電対等からなるもので、温度の検知対象である室内の空気に晒して直接気温を検知してもよいが、室内の空気に晒さず間接的に気温を検知するものでもよい。
【００１７】
間接的に気温を検知するものとして、例えば、通電により発熱する電気機器への通電を止めた際の、電気機器の温度の下降速度から外部外部雰囲気温度を検知するものが挙げられる。通電により発熱する電気機器としては、リレーや直流電源構成部品が好適に挙げられるが、操作スイッチ、表示部、送受信部やその他抵抗素子等でもよい。温度検知手段２で検知される温度は、外部雰囲気温度の影響を受ける。電気機器への通電を止めると、電気機器での発熱が止まって電気機器の温度が下降するが、この下降速度は外部雰囲気温度が高いと遅く、外部雰囲気温度が低いと下降速度は速い。このため、下降速度を検知することで、外部雰囲気温度を検知することができる。
【００１８】
制御手段４は、マイクロコンピュータからなり、強弱設定手段３により設定された暖房の強度に基づいて加熱手段１での発熱量を制御するものである。
【００１９】
暖房の強度のレベル１〜５に応じて、加熱手段１での発熱量を異ならせるように制御するのであるが、本発明では更に、設定された任意の強度における加熱手段での発熱量を外部雰囲気温度に応じて異ならせるように制御モードを変更することに特徴を有する。
【００２０】
本実施形態では、図１に示すように、外部雰囲気温度２０℃を閾値とし、外部雰囲気温度が２０℃以上の場合に低温の制御モード（以下、低温モードという）を行い、外部雰囲気温度が２０℃未満の場合に高温の制御モード（以下、高温モードという）を行う。低温モードでは、レベル１の目標温度を３０℃、レベル２の目標温度を３５℃、レベル３の目標温度を４０℃、レベル４の目標温度を４６℃、レベル５の目標温度を５１℃とし、高温モードでは、レベル１の目標温度を３５℃、レベル２の目標温度を４１℃、レベル３の目標温度を４８℃、レベル４の目標温度を５４℃、レベル５の目標温度を６０℃とする。制御手段４は、目標温度となるように加熱手段１での発熱量を制御する。ここで、目標温度とは、設計時に便宜上設けられる、加熱手段１での発熱量を決定する際の何らかの指標であり、外部雰囲気温度でなくてもよい。目標温度により加熱手段１での発熱量が決定され、目標温度が高い程、加熱手段１での発熱量が大きくなる。
【００２１】
例えば、冬場には採暖のため、暖房装置Ａの前方の人等の被加熱物を加熱したり、外部雰囲気温度を上昇させる。また、夏場（特に梅雨の時期）には、パネル状をした暖房装置Ａの前方（放熱方向）にタオル等の被加熱物９を配置して、被加熱物９を乾燥させたりする。使用者が夏場に冬場と同じような感覚で暖房の強度を設定すると、外部雰囲気温度が冬場と比べて高いため、従来の暖房装置Ａであれば、暖房の強度が同じ場合には加熱手段１の発熱量が必要以上に大きくなってしまい、加熱のばらつきが生じる。
【００２２】
本発明では、上記のように外部雰囲気温度に応じて加熱手段１での発熱量を異ならせるため、使用者は、冬場か夏場のいずれであるかや外部雰囲気温度を意識することなく、一年を通して常に同じ感覚で暖房の強度を設定するだけで、外部雰囲気温度の違いに起因する加熱のばらつきを防止することができる。
【００２３】
なお、閾値が複数あってもよい。この場合、閾値を挟んだ高温領域と低温領域とでは、低温領域と比べて高温領域の方が、同じ強度設定ではより低温となるように制御する。
【００２４】
また、入／切スイッチ７に点滅可能な制御表示部６１が設けてあり、高温モードの場合には制御表示部６１が点灯又は点滅し、低温モードの場合には制御表示部６１が点滅又は点灯するようにしてもよい。これにより、高温モードが行われているか低温モードが行われているかが使用者に分かる。
【００２５】
図１に示す上実施形態では、外部雰囲気温度２０℃を閾値として２通りの制御を行っていたが、図５に示す他の実施形態では、任意の外部雰囲気温度に対して目標温度を連続的に変化させるように制御モードを変更している。
【００２６】
外部雰囲気温度が０℃の場合、レベル１の目標温度を３９℃、レベル２の目標温度を４５℃、レベル３の目標温度を５１℃、レベル４の目標温度を５８℃、レベル５の目標温度を６４℃とする。
【００２７】
外部雰囲気温度が１０℃の場合、レベル１の目標温度を３４℃、レベル２の目標温度を４０℃、レベル３の目標温度を４７℃、レベル４の目標温度を５３℃、レベル５の目標温度を５９℃とする。
【００２８】
外部雰囲気温度が２０℃の場合、レベル１の目標温度を３３℃、レベル２の目標温度を３８℃、レベル３の目標温度を４３℃、レベル４の目標温度を４９℃、レベル５の目標温度を５４℃とする。
【００２９】
外部雰囲気温度が３０℃の場合、レベル１の目標温度を３１℃、レベル２の目標温度を３６℃、レベル３の目標温度を４１℃、レベル４の目標温度を４６℃、レベル５の目標温度を５１℃とする。
【００３０】
そして、外部雰囲気温度が例えば０℃と１０℃の間の場合、レベルｎ（ｎ＝１、２、３、４、５）の目標温度は、外部雰囲気温度が０℃のレベルｎの目標温度Ｔｎ０から外部雰囲気温度が１０℃のレベルｎの目標温度Ｔｎ１０にかけて線形に変化するものとして、検知された外部雰囲気温度ｔより目標温度Ｔを、
Ｔ＝（Ｔｎ１０−Ｔｎ０）／１０×（ｔ−０）＋Ｔｎ０として算出する。
【００３１】
また、外部雰囲気温度ｔが１０℃と２０℃の間の場合は、外部雰囲気温度が２０℃のレベルｎの目標温度をＴｎ２０として、上述したのと同様に目標温度Ｔを、
Ｔ＝（Ｔｎ２０−Ｔｎ１０）／１０×（ｔ−１０）＋Ｔｎ１０として算出する。
【００３２】
同様に、外部雰囲気温度ｔが２０℃と３０℃の間の場合は、外部雰囲気温度が３０℃のレベルｎの目標温度をＴｎ３０として、目標温度Ｔを、
Ｔ＝（Ｔｎ３０−Ｔｎ２０）／１０×（ｔ−２０）＋Ｔｎ２０として算出する。
【００３３】
同様に、外部雰囲気温度ｔが３０℃と４０℃の間の場合は、外部雰囲気温度が４０℃のレベルｎの目標温度をＴｎ４０として、目標温度Ｔを、
Ｔ＝（Ｔｎ４０−Ｔｎ３０）／１０×（ｔ−３０）＋Ｔｎ３０として算出する。
【００３４】
このようにすることで、より細やかな制御が可能となる。
【符号の説明】
【００３５】
１  加熱手段
２  温度検知手段
３  強弱設定手段
４  制御手段
５  操作部
６  入／切スイッチ
７  強弱表示部
８  物干し
９  被加熱物
【図１】
2011027367.tif 000003
【図２】
2011027367.tif 000004
【図３】
2011027367.tif 000005
【図４】
2011027367.tif 000006
【図５】
2011027367.tif 000007